【手続補正書】
【提出日】平成20年5月29日(2008.5.29)
【手続補正１】
【補正対象書類名】明細書
【補正対象項目名】特許請求の範囲
【補正方法】変更
【補正の内容】
【特許請求の範囲】
【請求項１】  識別情報を可変表示可能な可変表示装置を含み、可変表示開始の条件の成立に応じて識別情報の可変表示を開始し、識別情報の表示結果があらかじめ定められた特定表示態様となったことを条件として遊技者に有利な特定遊技状態に制御可能な遊技機であって、
遊技の進行を制御する遊技制御手段と、
前記可変表示装置の表示制御を行う表示制御手段とを備え、
前記遊技制御手段は、遊技の進行に応じて変動する記憶内容を遊技機への電力供給が停止しても保持可能な記憶保持手段を有し、遊技機への電力供給が開始されたときに、電力供給開始を示す電源投入時指定コマンドを前記表示制御手段に送出する
ことを特徴とする遊技機。
【請求項２】  遊技機への電力供給が開始されたときにおいて、遊技制御手段は、記憶保持手段が電力供給停止以前の記憶内容を保持していない場合に、電源投入時指定コマンド、識別情報の表示結果を特定可能な識別情報指定コマンドおよび可変表示の終了を示す確定コマンドを送出する
請求項１記載の遊技機。
【請求項３】  遊技機への電力供給が開始されたときにおいて、遊技制御手段は、記憶保持手段が電力供給停止以前の記憶内容を保持している場合であっても、電力供給停止時に可変表示が行われていなかったことを認識した場合には、電源投入時指定コマンド、識別情報指定コマンドおよび確定コマンドを送出する
請求項２記載の遊技機。
【請求項４】  遊技機への電力供給が開始されたときにおいて、遊技制御手段は、あらかじめ定められた識別情報の組み合わせに応じた識別情報指定コマンドを表示制御手段に送出する
請求項２または請求項３記載の遊技機。
【請求項５】  表示制御手段は、遊技制御手段から受信した電源投入時指定コマンド、識別情報指定コマンドおよび確定コマンドに応じて、あらかじめ定められた識別情報の組み合わせを可変表示装置に表示する
請求項４記載の遊技機。
【請求項６】  遊技機への電力供給が開始されたときにおいて、遊技制御手段は、遊技機への電力供給停止時に可変表示装置に表示されていた内容に応じたコマンドを表示制御手段に送出する
請求項２または請求項５記載の遊技機。
【請求項７】  表示制御手段は、遊技制御手段から受信した電源投入時指定コマンド、識別情報指定コマンドおよび確定コマンドに応じて、遊技機への電力供給停止時に表示されていた内容を可変表示装置に表示する
請求項６記載の遊技機。
【請求項８】  遊技機への電力供給が開始されたときにおいて、遊技制御手段は、遊技機への電力供給停止時に可変表示装置に表示されていた識別情報に応じた識別情報指定コマンドを表示制御手段に送出する
請求項２または請求項７記載の遊技機。
【請求項９】  表示制御手段は、遊技制御手段から受信した電源投入時指定コマンド、識別情報指定コマンドおよび確定コマンドに応じて、遊技機への電力供給停止時に表示されていた識別情報を可変表示装置に表示する
請求項８記載の遊技機。
【請求項１０】  遊技制御手段は、所定期間毎に発生する割込に応じて遊技制御を実行し、
電源投入時指定コマンド、識別情報指定コマンドおよび確定コマンドが送出されている間、遊技制御手段に前記割込が発生しないように構成されている
請求項２から請求項９のいずれかに記載の遊技機。
【請求項１１】  遊技制御手段は、電源投入時指定コマンド、識別情報指定コマンド、確定コマンドの順で各コマンドを送出する
請求項２から請求項１０のいずれかに記載の遊技機。
【請求項１２】  遊技制御手段は、複数のコマンドを格納することが可能なリングバッファ形式のコマンド格納エリアを有し、前記コマンド格納エリアからコマンドを読み出して表示制御手段に送出する
請求項１から請求項１１のいずれかに記載の遊技機。
【請求項１３】  表示制御手段は、受信したコマンドを格納することが可能なリングバッファ形式の受信コマンド格納エリアを有し、受信したコマンドを前記受信コマンド格納エリアに格納するとともに、前記受信コマンド格納エリアから読み出したコマンドにもとづいて表示制御を行う
請求項１から請求項１２のいずれかに記載の遊技機。
【手続補正２】
【補正対象書類名】明細書
【補正対象項目名】００１０
【補正方法】変更
【補正の内容】
【００１０】
【課題を解決するための手段】
本発明による遊技機は、識別情報を可変表示可能な可変表示装置を含み、可変表示開始の条件の成立に応じて識別情報の可変表示を開始し、識別情報の表示結果があらかじめ定められた特定表示態様となったことを条件として遊技者に有利な特定遊技状態に制御可能な遊技機であって、遊技の進行を制御する遊技制御手段と、可変表示装置の表示制御を行う表示制御手段とを備え、遊技制御手段が、遊技の進行に応じて変動する記憶内容を遊技機への電力供給が停止しても保持可能な記憶保持手段を有し、遊技機への電力供給が開始されたときに、電力供給開始を示す電源投入時指定コマンドを表示制御手段に送出することを特徴とする。
【手続補正３】
【補正対象書類名】明細書
【補正対象項目名】００１１
【補正方法】変更
【補正の内容】
【００１１】
遊技機への電力供給が開始されたときにおいて、遊技制御手段が、記憶保持手段が電力供給停止以前の記憶内容を保持していない場合に、電源投入時指定コマンド、識別情報の表示結果を特定可能な識別情報指定コマンドおよび可変表示の終了を示す確定コマンドを送出するように構成されていてもよい。
【手続補正４】
【補正対象書類名】明細書
【補正対象項目名】００１２
【補正方法】変更
【補正の内容】
【００１２】
遊技機への電力供給が開始されたときにおいて、遊技制御手段が、記憶保持手段が電力供給停止以前の記憶内容を保持している場合であっても、電力供給停止時に可変表示が行われていないことを認識した場合に、電源投入時指定コマンド、識別情報指定コマンドおよび確定コマンドを送出するように構成されていてもよい。
【手続補正５】
【補正対象書類名】明細書
【補正対象項目名】００１３
【補正方法】変更
【補正の内容】
【００１３】
遊技機への電力供給が開始されたときにおいて、遊技制御手段が、あらかじめ定められた識別情報の組み合わせ（いわゆる朝一出目）に応じた識別情報指定コマンドを表示制御手段に送出するように構成されていてもよい。
【手続補正６】
【補正対象書類名】明細書
【補正対象項目名】００１４
【補正方法】変更
【補正の内容】
【００１４】
表示制御手段が、遊技制御手段から受信した電源投入時指定コマンド、識別情報指定コマンドおよび確定コマンドに応じて、あらかじめ定められた識別情報の組み合わせ（いわゆる朝一出目）を可変表示装置に表示するように構成されていてもよい。
【手続補正７】
【補正対象書類名】明細書
【補正対象項目名】００１５
【補正方法】変更
【補正の内容】
【００１５】
遊技機への電力供給が開始されたときにおいて、遊技制御手段が、遊技機への電力供給停止時に可変表示装置に表示されていた内容に応じたコマンドを表示制御手段に送出するように構成されていてもよい。
【手続補正８】
【補正対象書類名】明細書
【補正対象項目名】００１６
【補正方法】変更
【補正の内容】
【００１６】
表示制御手段が、遊技制御手段から受信した電源投入時指定コマンド、識別情報指定コマンドおよび確定コマンドに応じて、遊技機への電力供給停止時に表示されていた内容を可変表示装置に表示するように構成されていてもよい。
【手続補正９】
【補正対象書類名】明細書
【補正対象項目名】００１７
【補正方法】変更
【補正の内容】
【００１７】
遊技機への電力供給が開始されたときにおいて、遊技制御手段が、遊技機への電力供給停止時に可変表示装置に表示されていた識別情報に応じた識別情報指定コマンドを表示制御手段に送出するように構成されていてもよい。
【手続補正１０】
【補正対象書類名】明細書
【補正対象項目名】０３１８
【補正方法】変更
【補正の内容】
【０３１８】
【発明の効果】
以上のように、本発明によれば、遊技機を、遊技機への電力供給が開始されたときに、遊技制御手段が電力供給開始を示す電源投入時指定コマンドを表示制御手段に送出するように構成したので、遊技機の電源投入時における可変表示装置の初期表示が確実に実行される効果がある。
【手続補正１１】
【補正対象書類名】明細書
【補正対象項目名】０３１９
【補正方法】変更
【補正の内容】
【０３１９】
遊技機への電力供給が開始されたときにおいて、遊技制御手段が、記憶保持手段が電力供給停止以前の記憶内容を保持していない場合に、電源投入時指定コマンド、識別情報の表示結果を特定可能な識別情報指定コマンドおよび可変表示の終了を示す確定コマンドを送出するように構成されている場合には、バックアップデータが存在しない場合の遊技機の電源投入時における可変表示装置の初期表示が確実に実行される。
【手続補正１２】
【補正対象書類名】明細書
【補正対象項目名】０３２０
【補正方法】変更
【補正の内容】
【０３２０】
遊技機への電力供給が開始されたときにおいて、遊技制御手段が、記憶保持手段が電力供給停止以前の記憶内容を保持している場合であっても、電力供給停止時に可変表示が行われていないことを認識した場合に、電源投入時指定コマンド、識別情報指定コマンドおよび確定コマンドを送出するように構成されている場合には、バックアップデータが存在する場合の遊技機の電源投入時における可変表示装置の初期表示が確実に実行される。
【手続補正１３】
【補正対象書類名】明細書
【補正対象項目名】０３２１
【補正方法】変更
【補正の内容】
【０３２１】
遊技機への電力供給が開始されたときにおいて、遊技制御手段が、あらかじめ定められた識別情報の組み合わせ（いわゆる朝一出目）に応じた識別情報指定コマンドを表示制御手段に送出するように構成されている場合には、遊技機が初期状態にあることを遊技店員や遊技者が容易に認識できる状況を確実に生じさせることができる。
【手続補正１４】
【補正対象書類名】明細書
【補正対象項目名】０３２２
【補正方法】変更
【補正の内容】
【０３２２】
表示制御手段が、遊技制御手段から受信した電源投入時指定コマンド、識別情報指定コマンドおよび確定コマンドに応じて、あらかじめ定められた識別情報の組み合わせを可変表示装置に表示するように構成されている場合には、遊技機が初期状態にあることを遊技店員や遊技者が容易に認識できる状況を確実に生じさせることができる。
【手続補正１５】
【補正対象書類名】明細書
【補正対象項目名】０３２３
【補正方法】変更
【補正の内容】
【０３２３】
遊技機への電力供給が開始されたときにおいて、遊技制御手段が、遊技機への電力供給停止時に可変表示装置に表示されていた内容に応じたコマンドを表示制御手段に送出するように構成されている場合には、遊技機が電源復旧状態にあることを遊技店員や遊技者が容易に認識できる状況を確実に生じさせることができる。
【手続補正１６】
【補正対象書類名】明細書
【補正対象項目名】０３２４
【補正方法】変更
【補正の内容】
【０３２４】
表示制御手段が、遊技制御手段から受信した電源投入時指定コマンド、識別情報指定コマンドおよび確定コマンドに応じて、遊技機への電力供給停止時に表示されていた内容を可変表示装置に表示するように構成されている場合には、遊技機が電源復旧状態にあることを遊技店員や遊技者が容易に認識できる状況を確実に生じさせることができる。
【手続補正１７】
【補正対象書類名】明細書
【補正対象項目名】０３２５
【補正方法】変更
【補正の内容】
【０３２５】
遊技機への電力供給が開始されたときにおいて、遊技制御手段が、遊技機への電力供給停止時に可変表示装置に表示されていた識別情報に応じた識別情報指定コマンドを表示制御手段に送出するように構成されている場合には、特に、識別情報の表示のみによって、遊技機が電源復旧状態にあることを遊技店員や遊技者が容易に認識できる状況を確実に生じさせることができる。